(57)【要約】【課題】容易に遊技台の扉の不正な開放を監視する。【解決手段】超音波送信部４１は、所定の範囲に対して超音波を送信し、超音波受信部４２は、所定の範囲に存在する物体により反射される超音波の反射波を受信し、比較器２７は、受信された反射波に基づいて生成される波形と、所定の閾値とを比較し、波形パターン生成部２１ｃは、比較結果に基づいて、波形パターンを生成し、メモリ２１ｇは、所定の範囲に対して所定の状態における超音波を送信した場合の比較結果に基づいて、生成される波形パターンを予め記憶し、波形パターン照合部２１ｅは、記憶された波形パターンと、生成された波形パターンとを照合し、発報部２１ｆは、照合結果が一致しないとき、異常を発報する。本発明は、監視システムに適用することができる。【選択図】図２
2008212385.tif 000002
【特許請求の範囲】
【請求項１】
所定の範囲に対して超音波を送信する送信手段と、
前記送信手段により送信され、前記所定の範囲に存在する物体により反射される超音波の反射波を受信する受信手段と、
前記受信手段により受信された反射波に基づいて生成される波形と、所定の閾値とを比較する比較手段と、
前記比較手段の比較結果に基づいて、波形パターンを生成する波形パターン生成手段と、
前記所定の範囲が所定の状態である場合に超音波を送信したときの前記比較手段の比較結果に基づいて、生成される波形パターンを予め記憶する記憶手段と、
前記記憶手段に記憶された波形パターンと、前記波形パターン生成手段により生成された波形パターンとを照合する照合手段と、
前記照合手段の照合結果が一致しないとき、前記所定の範囲において異常が発生していることを発報する発報手段と
を含む監視装置。
【発明の詳細な説明】
【技術分野】
【０００１】
本発明は、監視装置に関し、特に、扉の不正な開閉を容易に監視できるようにした監視装置に関する。
【背景技術】
【０００２】
一般に、パチンコ台は、遊技施設の遊技島に取り付けられる固定枠（通称、後枠）と、この固定枠の前面に開閉可能に取り付けられるとともに、前面に遊技領域を設けた遊技パネル及び遊技パネルの遊技領域をガラス等で透視可能に遮蔽する前面枠により形成される扉体とを備えて構成される。また、パチスロ台の場合、個別の遊技台毎に本体と一体となった固定枠と扉体とを備えて構成される。
【０００３】
パチンコ台およびパチスロ台のいずれにおいても、固定枠に対して閉じられる扉体をこじ開けて、不正に遊技パネルの遊技領域を操作したり、パチンコ台やパチスロ台の遊技台を制御する制御基板を不正に操作することにより、不当に遊技球またはメダルの払い出しを受けるといった不正が発生していた。
【０００４】
そこで、固定枠と扉体との一方に、光センサを設け、扉体が不正に開閉されると、光センサにより扉体の不正開放を検知し、異常を発報するものが提案されている（例えば、特許文献１参照）。
【特許文献１】特開２０００−８４２２３号公報
【発明の開示】
【発明が解決しようとする課題】
【０００５】
しかしながら、上述の技術においては、扉体の不正開放を検知することはできるものの、例えば、固定枠と扉体との間の隙間からピアノ線等の不正具を遊技機内に侵入させることは検知できなかった。したがって、不正具により遊技台内に設けられた制御装置、センサ等の種々の装置が不正に弄られ、不正に遊技が行われる恐れがあった。
【０００６】
また、例えば、パチスロ台などを入れ替える場合については、固定枠と共に扉体そのものも交換されるようなこととなるため、上述のような光センサなどを用いる場合、入替の際に、それらを再度設置し、さらに、取り付け位置などを、毎回設定し直さなければならなかった。
【０００７】
本発明はこのような状況に鑑みてなされたものであり、超音波を用いて、扉体の不正な開放を容易に監視できるようにするものである。
【課題を解決するための手段】
【０００８】
本発明の一側面の監視装置は、所定の範囲に対して超音波を送信する送信手段と、前記送信手段により送信され、前記所定の範囲に存在する物体により反射される超音波の反射波を受信する受信手段と、前記受信手段により受信された反射波に基づいて生成される波形と、所定の閾値とを比較する比較手段と、前記比較手段の比較結果に基づいて、波形パターンを生成する波形パターン生成手段と、前記所定の範囲が所定の状態である場合に超音波を送信したときの前記比較手段の比較結果に基づいて、生成される波形パターンを予め記憶する記憶手段と、前記記憶手段に記憶された波形パターンと、前記波形パターン生成手段により生成された波形パターンとを照合する照合手段と、前記照合手段の照合結果が一致しないとき、前記所定の範囲において異常が発生していることを発報する発報手段とを含む
【０００９】
本発明の一側面の監視装置においては、所定の範囲に対して超音波が送信され、送信され、前記所定の範囲に存在する物体により反射される超音波の反射波が受信され、受信された反射波に基づいて生成される波形と、所定の閾値とが比較され、比較結果に基づいて、波形パターンが生成され、前記所定の範囲が所定の状態である場合に超音波を送信したときの比較結果に基づいて、生成される波形パターンが予め記憶され、記憶された波形パターンと、生成された波形パターンとが照合され、照合結果が一致しないとき、前記所定の範囲において異常が発生していることが発報される。
【発明の効果】
【００１０】
本発明によれば、容易に遊技台の不正な開放を監視することが可能となる。
【発明を実施するための最良の形態】
【００１１】
以下に本発明の実施の形態を説明するが、本発明の構成要件と、発明の詳細な説明に記載の実施の形態との対応関係を例示すると、次のようになる。この記載は、本発明をサポートする実施の形態が、発明の詳細な説明に記載されていることを確認するためのものである。従って、発明の詳細な説明中には記載されているが、本発明の構成要件に対応する実施の形態として、ここには記載されていない実施の形態があったとしても、そのことは、その実施の形態が、その構成要件に対応するものではないことを意味するものではない。逆に、実施の形態が構成要件に対応するものとしてここに記載されていたとしても、そのことは、その実施の形態が、その構成要件以外の構成要件には対応しないものであることを意味するものでもない。
【００１２】
すなわち、所定の範囲に対して超音波を送信する送信手段（例えば、図２の超音波送信部４１）と、前記送信手段により送信され、前記所定の範囲に存在する物体により反射される超音波の反射波を受信する受信手段（例えば、図２の超音波受信部４２）と、前記受信手段により受信された反射波に基づいて生成される波形と、所定の閾値を比較する比較手段（例えば、図２の比較器２７）と、前記比較手段の比較結果に基づいて、波形パターンを生成する波形パターン生成手段（例えば、図２の波形パターン生成部２１ｃ）と、前記所定の範囲が所定の状態である場合に超音波を送信したときの前記比較手段の比較結果に基づいて、生成される波形パターンを予め記憶する記憶手段（例えば、図２のメモリ２１ｇ）と、前記記憶手段に記憶された波形パターンと、前記波形パターン生成手段により生成された波形パターンとを照合する照合手段（例えば、図２の波形パターン照合部２１ｅ）と、前記照合手段の照合結果が一致しないとき、前記所定の範囲において異常が発生していることを発報する発報手段（例えば、図２の発報部２１ｆ）とを含む。
【００１３】
図１は、本発明に係る遊技店の監視システムの一実施の形態の構成を示す図である。
【００１４】
本発明に係る監視システムは、総合監視部１が、パチンコ台またはパチスロ台に代表される遊技台１１−１乃至１１−ｎのそれぞれに設けられた遊技台監視装置４−１乃至４−ｎを総合的に管理し、個々の遊技台監視装置４−１乃至４−ｎより供給されてくる監視情報に基づいて、個々の遊技台１１−１乃至１１−ｎを監視するものである。尚、以降において、遊技台監視装置４−１乃至４−ｎおよび遊技台１１−１乃至１１−ｎは、それぞれ特に区別する必要がない場合、単に、遊技台監視装置４および遊技台１１と称するものとし、その他の構成についても、同様に称するものとする。
【００１５】
総合監視部１は、電源線２により供給される電力により駆動すると共に、信号線３を介して遊技台監視装置４−１乃至４−ｎのそれぞれより供給されてくる遊技台１１−１乃至１１−ｎの監視情報を取得する。
【００１６】
遊技台監視装置４−１乃至４−ｎは、それぞれ電源線２により供給される電力により駆動する。また、遊技台監視装置４−１乃至４−ｎは、センサ６ａ−１乃至６ａ−（ｎ−１），６ｂ−１乃至６ｂ−（ｎ−１）、または、センサ６ｃ乃至６ｆを制御して遊技台１１の扉の開放を検知し、扉の開放を検知した場合、遊技台１１を識別するIDと共に、不正な扉の開放が検知されたことを信号線３を介して総合監視部１に送信すると共に台ランプ５−１乃至５−ｎを、それぞれ制御して、扉が不正に開放されたことを報知する。
【００１７】
尚、図１の遊技台監視装置４−１乃至４−（ｎ−１）においては、センサ６ａ−１乃至６ａ−（ｎ−１）が、各遊技台１１−１乃至１１−（ｎ−１）の扉体を上部から見下ろす範囲を監視範囲とするように、それぞれ二箇所設けられている例が示されている。この場合、２箇所に設けられたセンサ６ａ，６ｂの双方で異常が検知された場合に扉体が開放されたことが検知される。また、遊技台監視装置４−ｎについては、遊技台１１−ｎのセンサ６ｃ乃至６ｆが、それぞれ扉体上部から、遊技台本体内部から、遊技台背面部から、遊技台の主基盤の背面部からそれぞれ監視できる範囲が監視範囲とされており、上述のように、それぞれの監視範囲において異常が発生された場合、扉体が開放されたものと検知される。すなわち、遊技台１１に設けられるセンサ６は、センサ６ａ，６ｂのように上部から二箇所の監視範囲を設定するように設けても良いし、センサ６ｃ乃至６ｆのように設けるようにしてもよいものである。
【００１８】
次に、図２を参照して、遊技台監視装置４の構成例について説明する。
【００１９】
制御部２１は、CPU（Central Processing Unit）、ROM（Read Only Memory）、およびRAM（Random Access Memory）などからなる、いわゆるマイクロコンピュータにより構成されており、CPUが、ROMに記録されたプログラムを、RAMを適宜使用しながら実行し、遊技台監視装置４の動作の全体を制御している。また、制御部２１は、キーボード、ボタン、またはスイッチなどからなる操作部２２からの操作内容に応じて、遊技台監視装置４の動作を制御する。
【００２０】
閾値設定部２１ａは、制御部２１により制御されて基準電圧発生部２８により比較器２７に供給される基準電圧の電圧値を閾値として設定する。発振部２１ｂは、制御部２１の指令に基づいて、超音波を発生し、送信用増幅部２３に供給する。波形パターン生成部２１ｃは、比較器２７より供給されてくる比較器２７の比較結果となる波形に基づいて、波形パターンを生成し、キャリブレーション処理においては、生成した波形パターンをメモリ２１ｇに記憶させ、監視処理においては、生成した波形パターンを波形パターン照合部２１ｅに供給する。波形パターン確認部２１ｄは、キャリブレーション処理において、波形パターン生成部２１ｃにより生成された波形パターンの波形山が十分に存在し、波形パターンとして成立するものであるか否かを判定する。
【００２１】
波形パターン照合部２１ｅは、監視処理において、波形パターン生成部２１ｃより供給されてきた波形パターンと、メモリ２１ｇに予めキャリブレーション処理により記憶されている波形パターンとを比較し、比較結果を発報部２１ｆに供給する。発報部２１ｆは、波形パターンが一致していない場合、監視範囲内において異常が発生したものとみなし、インタフェース２９を介して台ランプ５を異常が発生していることを示すように発光させると共に、インタフェース３０を介して異常の発生を信号線３を介して総合監視部１に送信する。
【００２２】
送信用増幅部２３は、発振部２１ｂより供給されてきた超音波を増幅してセンサ６の超音波送信部４１に供給する。
【００２３】
センサ６の超音波送信部４１は、送信用増幅部２３より供給されてくる、増幅された超音波を監視範囲に送信する（発射する）。超音波受信部４２は、超音波送信部４１により送信された超音波が、監視範囲内に存在する物体により反射されることにより発生する反射波を受信し、受信用増幅部２４に供給する。
【００２４】
受信用増幅器２４は、超音波受信部４２より供給されてきた反射波となる超音波を増幅して検波部２５に供給する。検波部２５は、受信用増幅部２４より供給されてくる、増幅された反射波を検波して、検波結果を波形整形部２６に出力する。波形整形部２６は、検波部２５より供給されてきた、検波結果となる波形を成形して比較器２７の端子２７ａに供給する。
【００２５】
基準電圧発生部２８は、制御部２１の閾値設定部２１ａにより制御され、閾値として設定された基準電圧値となる電圧を発生して、比較器２７の端子２７ｂに供給する。
【００２６】
比較器２７は、端子２７ａに供給されてくる波形となる電圧値と、端子２７ｂに供給されてくる基準電圧値とを比較し、反射波の波形の電圧値が基準電圧より高い場合、例えば、Hiとなる信号を制御部２１に供給すると共に、反射波の波形の電圧値が基準電圧値より低い場合、例えば、Lowとなる信号を制御部２１に供給する。尚、このHiまたはLowの関係は、これに限るものではなく、例えば、HiまたはLowの関係が逆であっても良いものである。
【００２７】
次に、図３のフローチャートを参照して、キャリブレーション処理について説明する。この処理がなされるとき、遊技台１１の扉体は、正規に閉じられた状態（異常のない状態）とされる。
【００２８】
ステップＳ１において、制御部２１は、キャリブレーションが指示されたか否かを判定し、キャリブレーションが指示されたと判定されるまで、同様の処理を繰り返す。例えば、操作部２２が、使用者により操作され、キャリブレーションが指示された場合、処理は、ステップＳ２に進む。尚、操作部２２によりなされるキャリブレーションの指示は、総合監視部１より供給されるようにしても良いものである。
【００２９】
ステップＳ２において、制御部２１は、閾値設定部２１ａを制御して、基準電圧値となる閾値を設定させ、基準電圧発生部２８より閾値となる基準電圧値を発生させて、比較器２７の端子２７ｂに供給させる。
【００３０】
ステップＳ３において、制御部２１は、発振部２１ｂを制御して、超音波を発生させて送信用増幅部２３に供給させる。送信用増幅部２３は、供給されてきた超音波を増幅し、センサ６の超音波送信部４１に供給する。
【００３１】
ステップＳ４において、センサ６の超音波送信部４１は、送信用増幅部２３により増幅された超音波を監視範囲に対して送信する（発射する）。
【００３２】
ステップＳ５において、センサ６の超音波受信部４２は、監視範囲の物体により反射されてくる反射波を受信し、受信用増幅器２４に供給する。
【００３３】
ステップＳ６において、受信用増幅器２４は、センサ６の超音波受信部４２より供給されてくる反射波となる超音波の信号を増幅し検波部２５に供給する。
【００３４】
ステップＳ７において、検波部２５は、受信用増幅器２４より供給されてきた増幅されている反射波の信号を検波して、処理結果を波形整形部２６に供給する。
【００３５】
ステップＳ８において、波形整形部２６は、検波部２５より供給されてくる検波された処理結果となる波形を波形成形し、比較器２７の端子２７ａに供給する。
【００３６】
ステップＳ９において、比較器２７は、端子２７ａに供給されてくる反射波の波形を示す電圧値が、端子２７ｂに供給されてくる基準電圧値である閾値よりも高いか否かを判定し、高い場合、ステップＳ１０において、制御部２１にHiとなる信号を出力し、低い場合、ステップＳ１１において、制御部２１にLowとなる信号を出力する。
【００３７】
ステップＳ１２において、波形パターン生成部２１ｃは、比較器２７より供給されてくるHiまたはLowの信号を記憶する。
【００３８】
ステップＳ１３において、波形パターン生成部２１ｃは、所定時間が経過したか否かを判定し、所定時間が経過していない場合、処理は、ステップＳ５に戻る。すなわち、所定時間が経過するまで、ステップＳ５乃至Ｓ１３の処理が繰り返され、波形パターン生成部２１ｃは、順次、比較結果であるHiまたはLowの信号を時間の経過と共に記憶する。
【００３９】
ステップＳ１３において、所定時間が経過したと判定された場合、ステップＳ１４において、波形パターン生成部２１ｃは、波形パターンを生成し、波形パターン確認部２１ｄに供給する。ステップＳ１５において、波形パターン確認部２１ｄは、生成された波形パターンに波形山が十分に含まれているか否かを判定し、含まれていない場合、処理は、ステップＳ１６に進む。
【００４０】
ステップＳ１６において、制御部２１は、閾値設定部２１ａを制御して、基準電圧値となる閾値を、例えば、所定値だけ減少させるなどの調整を行った後、再度設定させ、基準電圧発生部２８より閾値となる基準電圧値を発生させて、比較器２７の端子２７ｂに供給させ、処理は、ステップＳ３に戻る。すなわち、閾値を減少させるなどして、感度を上昇させることで、波形山が生じやすくなるように調整する。
【００４１】
ステップＳ１５において、生成された波形パターンに波形山が十分に含まれていると判定されるまで、ステップＳ３乃至Ｓ１６の処理が繰り返され、そして、ステップＳ１５において、生成された波形パターンに波形山が十分に含まれていると判定された場合、ステップＳ１７において、波形パターン生成部２１ｃは、メモリ２１ｇに生成した波形パターンを記憶させる。
【００４２】
すなわち、ステップＳ４の処理により超音波が超音波送信部４１より発生されると、特に、センサ６ｄなどの場合、超音波受信部４２は、遊技台１１の本体内部に設けられた基盤や装置などのセンサ６ｄから異なる距離に存在する物体からの反射波を受信する。
【００４３】
例えば、図４で示されるように、センサ６ｄなどのように遊技台１１の本体内部に設けられると、扉体はもとより、その他の基板などからなる物体Ａ乃至Ｃに対してそれぞれ行路ａ乃至ｃのように発射された超音波が反射されて、超音波受信部４２により受信されることになる。
【００４４】
すると、図５の上部で示されるような波形が取得されることになる。すなわち、図５の上部には、３個の凸部が現れ、それぞれ左から物体Ａにより反射された反射波により生成される凸部、物体Ｂにより反射された反射波により生成される凸部、および物体Ｃにより反射された反射波により生成される凸部となる。尚、図５においては、図中横軸が時刻軸であり、縦軸がレベルを示しており、時刻は、超音波が送信された時刻が時刻ｔ０であり、以降、反射波が受信された時刻を示している。また、行路長は、行路ａ＜行路ｂ＜行路ｃである。このため、距離によるレベルの減衰が発生するため、物体Ａの反射波よりも物体Ｂの反射波の方がレベルが低く、同様にして、物体Ｂの反射波よりも物体Ｃの反射波の方がレベルが低い。
【００４５】
この図５の上部で示される波形が比較器２７に順次供給されることとなるため、基準電圧値が閾値th0であるとすれば、比較器２７により出力される信号は、図５の下部で示されるようなものとなる。
【００４６】
すなわち、図５の下部においては、図５の上部で示される反射波の波形が閾値th0を超える時刻ｔ１乃至ｔ２、時刻ｔ１１乃至ｔ１２、および時刻ｔ２１乃至２２において、出力がHiとなり、それ以外のタイミングにおいては、Lowが出力される。
【００４７】
このため、ステップＳ３乃至Ｓ１３の処理が、時刻ｔ０乃至ｔ２２まで繰り返された場合、図５の下部で示されるような矩形状の波形が、扉体が正規に閉じられている状態における波形パターンとして生成されて、メモリ２１ｇに記憶されることになる。
【００４８】
結果として、キャリブレーション処理により、メモリ２１ｇには、正規に扉体が閉じられている状態において、所定時間内に監視範囲に存在する物体の配置に応じて発生する反射波の波形からなる波形パターンが記憶されることになる。
【００４９】
次に、図６のフローチャートを参照して、監視処理について説明する。尚、図６のフローチャートにおけるステップＳ３２乃至Ｓ４４の処理については、図３のフローチャートにおけるステップＳ２乃至Ｓ１４における処理と同様であるので、その説明は、適宜省略するものとする。
【００５０】
ステップＳ３１において、制御部２１は、操作部２２が操作されて監視が指示されたか否かを判定し、監視が指示されるまで、同様の処理を繰り返す。例えば、操作部２２が、使用者により操作され、監視が指示された場合、処理は、ステップＳ３２に進み、上述したキャリブレーション処理により設定された閾値が設定される。尚、操作部２２によりなされる監視の指示は、総合監視部１より供給されるようにしても良いものである。
【００５１】
ステップＳ３２乃至Ｓ４４の処理により、所定時間で監視範囲に存在する物体に応じた反射波による波形パターンが生成されると、ステップＳ４５において、波形パターン照合部２１ｅは、生成された波形パターンと、メモリ２１ｇに記憶されている、キャリブレーション処理により記憶された波形パターンとを比較し、一致するか否かを判定する。
【００５２】
ステップＳ４５において、波形パターンが一致しないと判定された場合、すなわち、キャリブレーション処理を実行したときと、監視範囲に存在する物体の状態が変化した場合、扉体が正規の状態に無く、何らかの手段により不正に開放されたとみなし、ステップＳ４６において、発報部２１ｆは、インタフェース２９を介して台ランプ５を異常が発生していることを示すように発光させると共に、インタフェース３０を介して自らを識別する遊技台IDなどと共に異常の発生を信号線３を介して総合監視部１に送信する。
【００５３】
ステップＳ４７において、制御部２１は、監視が解除されたか否かを判定し、監視の解除がなされていない場合、処理は、ステップＳ３３に戻る。すなわち、監視が指示されたままの状態の場合、ステップＳ３３乃至Ｓ４７の処理が繰り返される。そして、ステップＳ４７において、監視が解除されたと判定された場合、処理は、ステップＳ３１に戻る。
【００５４】
また、ステップＳ４５において、波形パターンが一致した場合、すなわち、キャリブレーション処理を実行したときと、監視範囲に存在する物体の状態が変化していない場合、扉体が正規の状態で維持され、開放されておらず、異常が発生していないものとみなされ、ステップＳ４６の処理はスキップされる。
【００５５】
以上の処理により、監視範囲内に変化が発生した場合、反射波の波形パターンが変化することにより、扉体の開放や、遊技台１１内の基盤などの不正な操作などの異常を検知することが可能となる。また、その際、キャリブレーションを任意に掛けることが可能であるので、遊技台の入替などにより扉体の形状が変化したり、遊技台１１内の基盤配置などが変化しても、容易に正規の状態の波形パターンを変化させることで対応することが可能となる。
【００５６】
尚、以上においては、センサ６が１個である場合について説明してきたが、複数であった場合、設けられている全てのセンサ６で異常が検知された場合、扉体が不正に開放されたものとみなす処理となる。また、図４，図５において、センサ６ｄの場合について説明してきたが、その他のセンサ６ａ，６ｂ，６ｄ，６ｅ，６ｆのいずれにおいても同様の原理で異常を検知させるようにすることができる。すなわち、例えば、遊技台１１の扉体を上面または側面などから監視する場合、閉じた状態における扉体が存在する範囲を監視範囲に設定することで不正な扉体の開放を検知することが可能となる。
【００５７】
また、夜間監視などに対応させるため、発報部２１ｆは、発報するような異常を検知した場合、その発生時刻を記憶させるようにしても良い。さらに、遊技台１１に対して、遊技台監視装置４のセンサ６の配置を全て統一することで、総合監視部１が、キャリブレーション処理を、いずれか一台の遊技台監視装置４により実行させ、その処理結果となる波形パターンを自らに供給させると共に、供給されてきた波形パターンを、その他の遊技台監視装置４に配信して、それぞれのメモリ２１ｇに記憶させるようにしても良い。
【００５８】
また、閾値設定部２１ａは、操作部２２からの操作内容に応じて閾値の設定を変化させることにより、監視範囲の感度を調整することができる。すなわち、閾値が高く設定されることにより、小さな波形の変化は、波形パターンとして捉えられず、無視されることになるので、感度が低下し、逆に閾値が低く設定されることにより、小さな波形でも波形パターンとして捉えられることになるため、感度が高められることになる。
【００５９】
以上によれば、容易に遊技台の扉の不正な開放を監視することが可能となる。
【００６０】
ところで、上述した一連の監視処理は、ハードウェアにより実行させることもできるが、ソフトウェアにより実行させることもできる。一連の処理をソフトウェアにより実行させる場合には、そのソフトウェアを構成するプログラムが、専用のハードウェアに組み込まれているコンピュータ、または、各種のプログラムをインストールすることで、各種の機能を実行することが可能な、例えば汎用のパーソナルコンピュータなどに、記録媒体からインストールされる。
【００６１】
図７は、汎用のパーソナルコンピュータの構成例を示している。このパーソナルコンピュータは、CPU(Central Processing Unit)１００１を内蔵している。CPU１００１にはバス１００４を介して、入出力インタフェース１００５が接続されている。バス１００４には、ROM(Read Only Memory)１００２およびRAM(Random Access Memory)１００３が接続されている。
【００６２】
入出力インタフェース１００５には、ユーザが操作コマンドを入力するキーボード、マウスなどの入力デバイスよりなる入力部１００６、処理操作画面や処理結果の画像を表示デバイスに出力する出力部１００７、プログラムや各種データを格納するハードディスクドライブなどよりなる記憶部１００８、LAN（Local Area Network）アダプタなどよりなり、インターネットに代表されるネットワークを介した通信処理を実行する通信部１００９が接続されている。また、磁気ディスク（フレキシブルディスクを含む）、光ディスク（CD-ROM(Compact Disc-Read Only Memory)、DVD(Digital Versatile Disc)を含む）、光磁気ディスク（ＭＤ(Mini Disc)を含む）、もしくは半導体メモリなどのリムーバブルメディア１０１１に対してデータを読み書きするドライブ１０１０が接続されている。
【００６３】
CPU１００１は、ROM１００２に記憶されているプログラム、または磁気ディスク、光ディスク、光磁気ディスク、もしくは半導体メモリ等のリムーバブルメディア１０１１から読み出されて記憶部１００８にインストールされ、記憶部１００８からRAM１００３にロードされたプログラムに従って各種の処理を実行する。RAM１００３にはまた、CPU１００１が各種の処理を実行する上において必要なデータなども適宜記憶される。
【００６４】
尚、本明細書において、記録媒体に記録されるプログラムを記述するステップは、記載された順序に沿って時系列的に行われる処理は、もちろん、必ずしも時系列的に処理されなくとも、並列的あるいは個別に実行される処理を含むものである。
【００６５】
また、本明細書において、システムとは、複数の装置により構成される装置全体を表すものである。
【図面の簡単な説明】
【００６６】
【図１】本発明を適用した監視システムの一実施の形態の構成を示す図である。
【図２】図１の遊技台監視装置の構成例を示す図である。
【図３】キャリブレーション処理を説明するフローチャートである。
【図４】波形パターンの生成方法を説明する図である。
【図５】波形パターンの生成方法を説明する図である。
【図６】監視処理を説明するフローチャートである。
【図７】汎用のパーソナルコンピュータを説明する図である。
【符号の説明】
【００６７】
１  総合監視部，  ４，４−１乃至４−ｎ  遊技台監視装置，  ６，６ａ，６ｂ，６ａ−１乃至６ａ−（ｎ−１），６ｂ−１乃至６ｂ−（ｎ−１）  センサ  １１，１１−１乃至１１−ｎ  遊技台，  ２１  制御部，  ２１ａ  閾値設定部，  ２１ｂ  波形パターン生成部，  ２１ｃ  波形比較部，  ２１ｄ  発報部，  ２１ｅ  メモリ，  ２２  発振部，  ２３  送信用増幅部，  ２４  受信用増幅部，  ２５  検波部，  ２６  波形整形部，  ２７  比較部，  ２８  基準電圧発生部，  ２９，３０  インタフェース，  ３１  操作部
【図１】
2008212385.tif 000003
【図２】
2008212385.tif 000004
【図３】
2008212385.tif 000005
【図４】
2008212385.tif 000006
【図５】
2008212385.tif 000007
【図６】
2008212385.tif 000008
【図７】
2008212385.tif 000009